(57)【要約】  本発明は、座席用家具シャーシ（１０３）に固定するためのフットレストシャーシ（１００）に関し、フットレストシャーシ（１００）は、第１領域（１０１）と、第２領域（１０２）と、第１領域（１０１）を座席用家具シャーシ（１０３）に固定するための少なくとも１つの固定手段（１０４；１０５）と、結合手段（１０６；１０７；１０８）とを含み、第１領域（１０１）および第２領域（１０２）は、座席用家具シャーシ（１０３）に装着された状態において、固定手段（１０４；１０５）によって規定される第１旋回軸回りに旋回可能であり、第２領域（１０２）は、結合手段（１０６；１０７；１０８）を介して第１領域（１０１）と結合され、第１領域（１０１）および第２領域（１０２）が第１旋回軸線回りに旋回運動するとき、結合手段（１０６；１０７；１０８）によって規定された第２旋回軸回りの第２領域（１０２）の追加の旋回運動が生じる。
2019512365.tif 000002
【特許請求の範囲】
【請求項１】
座席用家具シャーシ（１０３）に固定するためのフットレストシャーシ（１００）であって、第１領域（１０１）と、第２領域（１０２）と、第１領域（１０１）を座席用家具シャーシ（１０３）に固定するための少なくとも１つの固定手段（１０４；１０５）と、結合手段（１０６；１０７；１０８）とを含み、第１領域（１０１）および第２領域（１０２）は、座席用家具シャーシ（１０３）に装着された状態において、固定手段（１０４；１０５）によって規定される第１旋回軸回りに旋回可能であり、第２領域（１０２）は、結合手段（１０６；１０７；１０８）を介して第１領域（１０１）と結合される、フットレストシャーシ（１００）において、
第１領域（１０１）および第２領域（１０２）が第１旋回軸線回りに旋回運動するとき、結合手段（１０６；１０７；１０８）によって規定された第２旋回軸回りの第２領域（１０２）の追加の旋回運動が生じることを特徴とするフットレストシャーシ（１００）。
【請求項２】
結合手段（１０６；１０７；１０８）は、第１結合要素（１０６）と第２結合要素（１０７）とを備え、第１結合要素（１０６）は、第２旋回軸を規定し、第２結合要素（１０７）は、第２旋回軸回りの旋回運動を引き起こすように構成されることを特徴とする、請求項１に記載のフットレストシャーシ（１００）。
【請求項３】
第２結合要素（１０７）は、レバーのように構成されることを特徴とする、請求項２に記載のフットレストシャーシ（１００）。
【請求項４】
固定手段（１０４；１０５）は、第１固定要素（１０４）と第２固定要素（１０５）とを備え、第１固定要素（１０４）は、第１旋回軸を規定し、第２固定要素（１０５）は、第２旋回軸回りの第２領域の旋回運動を引き起こすように構成されることを特徴とする、請求項１〜３のいずれか１項に記載のフットレストシャーシ（１００）。
【請求項５】
第２固定要素（１０５）は、レバーのように構成されることを特徴とする、請求項４に記載のフットレストシャーシ（１００）。
【請求項６】
結合手段（１０６；１０７；１０８）は、第２結合要素（１０７）を第２固定要素（１０５）に結合する第３結合要素（１０８）を含むことを特徴とする、請求項１〜５のいずれか１項に記載のフットレストシャーシ（１００）。
【請求項７】
第１旋回軸回りの第１領域（１０１）の旋回運動の間、第３結合要素（１０８）の旋回運動は、第２固定要素（１０５）によって第３旋回軸回りで引き起こされることを特徴とする、請求項６に記載のフットレストシャーシ（１００）。
【請求項８】
第２固定要素（１０５）は、第３結合要素（１０８）に回転可能に結合されることを特徴とする、請求項７に記載のフットレストシャーシ（１００）。
【請求項９】
第３結合要素（１０８）は、第２結合要素（１０７）に回転可能に結合されることを特徴とする、請求項７または８に記載のフットレストシャーシ（１００）。
【請求項１０】
フットレストシャーシ（１００）は、座席用家具シャーシ（１０３）のベアリング手段（２０１）上に載置されるように構成された支持面（２００）を有し、第１旋回軸回りの第１領域（１０１）および第２領域（１０２）の旋回運動は、支持面（２０１）の偏りによって引き起こされ得ることを特徴とする、請求項１〜９のいずれか１項に記載のフットレストシャーシ（１００）。
【請求項１１】
フットレストシャーシ（１００）は、支持面（２０１）にばね力を加えるように構成されたばね手段を含み、支持面（２０１）はベアリング手段（２００）に対して押圧されることを特徴とする、請求項１０に記載のフットレストシャーシ（１００）。
【請求項１２】
請求項１〜１１のいずれか１項に記載のフットレストシャーシ（１００）と、座席用家具シャーシ（１０３）とを備えることを特徴とするシステム。
【発明の詳細な説明】
【技術分野】
【０００１】
本発明は、座席用家具シャーシに固定するためのフットレストシャーシに関する。
【背景技術】
【０００２】
技術水準から、請求項１の上位概念に従ったフットレストシャーシは、公用にされていることが知られている。フットレストシャーシは、ユーザにとっての快適性を高めるために、座席用家具シャーシに固定されている。本明細書では、シャーシとは、特に、肘掛いすのような座席用家具を製造するために詰め物を取り付けることが可能であり、折り畳みおよび展開のような座席用家具の機械的機能を可能にする装置を意味すると理解される。
【０００３】
フットレストシャーシには、ユーザが自分の足を置くことが可能である、本来のフットレストが固定されている。通常、フットレストシャーシは、を折り畳み式で、折り畳んだり、展開したりすることができるものであり、ユーザーはフットレストに足を載せるかどうかを選択できる。展開状態では、ユーザは、自分の足と、モデルによっては少なくとも脚の一部とを、フットレストシャーシ上に載せることが可能である。
【０００４】
フットレストシャーシが折り畳まれている間、および展開されている間、知られたフットレストシャーシの場合、座席用家具の座部の下側に比較的多くのスペースが必要である。フットレストの展開プロセスの間、座部と座部側に向いていないフットレストの端部との間の距離を大きくするために、フットレストを延ばせば、フットレストの下方端部が、ユーザのふくらはぎを押圧し、これは、ユーザにとっては通常不快である。
【発明の概要】
【０００５】
公知のフットレストシャーシと比較して、本発明は、折り畳みプロセスのとき、および展開プロセスのとき、座席用家具の座部の下に少しのスペースしか必要でなく、ユーザの快適性を高めるフットレストシャーシを提供することを課題とする。さらにまた、このようなフットレストシャーシと座席用家具シャーシを備えるシステムを作製することを課題とする。
【０００６】
この目的は、請求項１に記載のフットレストシャーシと、請求項１２に記載のシステムによって達成される。本発明の実施形態は従属請求項に示されている。
【０００７】
フットレストシャーシは、第１領域と、第２領域と、第１領域を座席用家具シャーシに固定するための少なくとも１つの固定手段と、結合手段とを含む。第１領域および第２領域は、座席用家具シャーシに装着された状態において、固定手段によって規定される第１旋回軸回りに旋回可能である。第２領域は、結合手段を介して第１領域と結合される。
【０００８】
第１領域および第２領域が第１旋回軸回りに旋回運動するとき、結合手段によって規定された第２旋回軸回りの第２領域の追加の旋回運動が生じる。この第２旋回運動は自動的に引き起こさせることが可能である。
【０００９】
第２旋回軸回りの第２領域の旋回運動は、フットレストシャーシの省スペースの折り畳みプロセスおよび展開プロセスを可能にする。したがって、第２領域は、第１旋回軸回りそしてまた第２旋回軸回り両方の折り畳みプロセスおよび展開プロセスの間に、これらの２つの旋回運動から組み合わされた運動を実行するように旋回される。言い換えれば、第２領域の第１旋回運動および第２旋回運動は、重なり合っている。しかし、第１領域は、第１旋回軸回りでのみ旋回され、第２旋回軸回りでは旋回されない。
【００１０】
また、第２旋回軸回りの第２領域の旋回は、フットレストシャーシが展開プロセス中にずれるとき、フットレストの下方端部がふくらはぎを突く前に、第２領域がすばやく旋回して、ユーザのふくらはぎに接触することができるという利点を有する。
【００１１】
第１領域に、フットレストの第１部分を固定することが可能である。第２領域には、フットレストの第２部分を固定することが可能である。このような２つの部分からなることが、第１領域および第２領域の前述の旋回挙動を可能にする。
【００１２】
さらにまた、フットレストシャーシは２つの部分で形成されることも可能である。この場合、フットレストシャーシは、２つの第１領域と、２つの第２領域と、２つの固定手段と、２つの結合手段とを備え、第１領域、第２領域、固定手段、および結合手段の各々は、フートレストシャーシの２つの部分の一方に配設することが可能であり、フットレストシャーシの両部分の機構は同じか類似して構成される。このようにして、特に軽量のフットレストシャーシを達成することが可能である。
【００１３】
本発明の一実施形態に従えば、結合手段は、第１結合要素と第２結合要素とを備えることが可能である。第１結合要素は、第２旋回軸を規定することができる。第２結合要素は、第２旋回軸回りの旋回運動を引き起こすように構成されてもよい。第１結合要素は、たとえば、第２領域の構成要素がその回りで回転可能なボルトであってもよい。
【００１４】
本発明の一実施形態に従えば、第２結合要素は、レバーのように構成されてもよい。このレバーのような第２結合要素は、たとえば、第１の結合要素回りで回転可能な第２領域の構成要素に回転可能に結合されてもよい。したがって、第２旋回軸回りの第２領域の旋回運動は、第２結合要素によって引き起こすことができる。
【００１５】
本発明の一実施形態に従えば、固定手段は、第１固定要素と第２固定要素とを備えることができる。第１固定要素は、第１旋回軸を規定することができる。第２固定要素は、第２旋回軸回りの第２領域の旋回運動を引き起こすように構成されてもよい。
【００１６】
本発明の一実施形態に従えば、第２固定要素は、レバーのように構成することができる。
【００１７】
本発明の一実施形態に従えば、結合手段は、第２結合要素を第２固定要素に結合する第３結合要素を含むことができる。
【００１８】
本発明の一実施形態に従えば、第１旋回軸回りの第１領域の旋回運動の間、第３結合要素の旋回運動は、第２固定要素によって第３旋回軸回りで引き起こされ得る。第３結合要素は、例えば、第３旋回軸を規定するボルトによって支持されてもよい。第３結合手段に対する第２固定手段の移動により、第３結合手段が第３旋回軸回りに旋回され、それによって第２結合要素が移動する。これにより、第２旋回軸回りの第２領域の旋回運動がもたらされる。第２固定手段の引き起こされた相対運動は、第１旋回軸回りの第１領域の旋回運動によって引き起こされる。
【００１９】
本発明の一実施形態に従えば、第２固定要素は、第３結合要素に回転可能に結合することができる。
【００２０】
本発明の一実施形態に従えば、第３結合要素は、第２結合要素に回転可能に結合することができる。
【００２１】
本発明の一実施形態に従えば、フットレストシャーシは、座席用家具シャーシのベアリング手段上に載置されるように構成された支持面を有することができる。第１旋回軸回りの第１領域および第２領域の旋回運動は、支持面の偏りによって引き起こされ得る。座席用家具シャーシとフットレストシャーシとのこのような結合は、フットレストシャーシを折り畳む場合に、その折り畳み経路において起こり得る、物、動物または人への損傷の危険性を低減させるために有利である。フットレストシャーシは、支持面によって、ベアリング手段上に載置されているので、物、動物または人には比較的わずかの力しか作用せず、よって損傷の危険性が低減される。
【００２２】
それにもかかわらず、フットレストシャーシは、損傷の危険性を増大させることなく、第２固定要素で座席用家具シャーシに固定することができる。第１旋回軸回りの第１領域の旋回運動は、支持面の偏りによって引き起こされるので、物、動物または人が、フートレストシャーシの折り畳み経路にあるときには、そのような偏りは生じない。したがって、第３結合手段に相対する第２固定要素の動きは生じない。その結果、第１軸回りの旋回運動も、第２軸回りの旋回運動も、第３軸回りの旋回運動も起こらない。
【００２３】
本発明の一実施形態に従えば、フットレストシャーシは、支持面にばね力を加えるように構成されたばね手段を含むことが可能であり、支持面はベアリング手段に対して押圧される。このようにして、支持面は、ベアリング手段を、十分な力で押圧し、それによって、フットレストシャーシの折り畳みおよび展開プロセスが行える。人、動物または物が、フートレストシャーシの折り畳み経路にある場合、人、動物または物にはばね力のみが作用する。その場合、ばね力は、非常に小さく選ぶことが可能であるので、損傷の危険性が低い。
【００２４】
本発明のさらなる特徴および利点は、添付の図面を参照して、以下の好ましい実施形態の説明から明らかになるであろう。同一または類似の構成要素および同一または同様の機能を有する構成要素については、同じ参照符号が使用される。
【図面の簡単な説明】
【００２５】
【図１】折り畳まれた状態で座席用家具シャーシに固定された本発明の一実施形態に従ったフットレストシャーシの概略斜視図である。
【図２】部分的に展開された状態の、図１のフットレストシャーシの概略斜視図である。
【図３】さらに展開された状態の、図２のフットレストシャーシの概略斜視図である。
【図４】さらに展開された状態の、図３のフットレストシャーシの概略斜視図である。
【図５】さらに展開された状態の、図４のフットレストシャーシの概略斜視図である。
【図６】さらに展開された状態の、図５のフットレストシャーシの概略斜視図である。
【図７】別の視点からの、図６のフットレストシャーシの概略図である。
【発明を実施するための形態】
【００２６】
フットレストシャーシ１００の展開プロセスは、図１〜図６の順に見ることによって理解することができる。折り畳みプロセスは正反対に起こるので、図６〜図１の順に見ることによって理解することができる。
【００２７】
フットレストシャーシ１００は、座席用家具シャーシ１０３に固定され、座席用家具シャーシ１０３のみによって相互に結合された２つの部分を含む。これら２つの部分は、互いに平行に配設され、同様に構成されてなり、どちらの部分も、その折り畳みおよび展開のプロセスは同様に行われる。フットレストを両方の部分に固定して、２つの部分を相互に結合することができる。
【００２８】
フットレストシャーシ１００は、第１領域１０１と第２領域１０２とを含む。２つの部分からなるフットレストの第１部分は、第１領域１０１に固定することが可能である。第２領域１０２には、フットレストの第２部分を固定することができる。したがって、フットレストシャーシ１００は、２つの部分からなるフットレスト用に構成されている。
【００２９】
第１領域１０１は、第１固定要素１０４によって座席用家具シャーシ１０３に固定される。第１留め具１０４は、ボルト形状に構成され、第１領域１０１および第２領域１０２の両方が、展開プロセス中に旋回する第１旋回軸を規定する。さらにまた、第１領域１０１は、座席用家具シャーシ１０３のベアリング手段２０１と接触する支持面２００を有する。ベアリング手段２０１により、第１旋回軸回りの第１領域１０１の旋回運動が、引き起こされる。
【００３０】
支持面２００は、ばね手段によってベアリング手段２０１に対して押圧され、したがって、フットレストシャーシ１００の折り畳み経路に、物、動物または人が存在しているときには、物、動物または人に対して、ばね力だけが作用する。
【００３１】
さらにまた、フットレストシャーシ１００は、座席用家具シャーシ１０３に固定される第２固定要素１０５を有する。第２固定要素１０５はレバーのように構成される。
【００３２】
第２領域は、第１結合手段１０６および第２結合手段１０７を介して第１領域１０１に結合されている。第１結合手段１０６は、ボルトのように形成され、第２領域１０２が旋回する第２旋回軸を規定する。第２結合手段１０７は、レバーのように構成される。また、フットレストシャーシ１００は、第２固定手段１０５および第２結合手段１０７とそれぞれ回転可能に結合される第３結合手段１０８を含む。また、第２結合手段１０６は、第２領域１０２と回転可能に結合される。
【００３３】
フットレストシャーシ１００を展開するとき、ベアリング手段２０１は押し出され、よって、支持面２００と第１領域１０１とは、第１旋回軸回りに上方に旋回される。この旋回運動は反時計回りに起こり、第２固定要素１０５と第３結合要素１０８との間の相対運動を引き起こし、第３結合要素１０８の旋回運動をもたらす。この場合、第３結合要素１０８の旋回方向は、第１領域の旋回方向とは反対である。
【００３４】
第３結合手段１０８の旋回運動は、第２結合手段１０７と第１結合手段１０６との間の相対移動を引き起こし、第２領域１０２は、第１結合手段１０６によって規定される第２回りに旋回する。この旋回運動は、第１旋回軸回りの第１領域１０１の旋回運動と同じ旋回方向で行われる。
【００３５】
したがって、第２領域１０２は、第１旋回軸および第２旋回軸回りの２つの重ね合わされた旋回運動によって移動される。
【００３６】
特に、上記の機構によって２つの利点が達成される。第一に、フットレストシャーシ１００は、旋回動作のために座席用家具の座部の下に比較的わずかのスペースを要するだけである。他方、フットレストシャーシ１００は、フットレストシャーシが、折り畳みプロセスおよび展開プロセスの間に、引っ込められるまたは伸張される、座席用家具シャーシ１０３の場合に、特に良好に利用できる。この利点は、図２〜図４を見ると特に明確になる。第２領域１０２は、ユーザの脚に後ろからフットレストが接触する前に、ユーザの足がフットレストに接触するように展開される。これは、一瞬のフットレストとふくらはぎとの不愉快な接触が防止されるので、ユーザにとっては特に快適である。
【図１】
2019512365.tif 000003
【図２】
2019512365.tif 000004
【図３】
2019512365.tif 000005
【図４】
2019512365.tif 000006
【図５】
2019512365.tif 000007
【図６】
2019512365.tif 000008
【図７】
2019512365.tif 000009
【国際調査報告】
2019512365.tif 000010
2019512365.tif 000011
2019512365.tif 000012
2019512365.tif 000013